(57)【要約】  本願は、信号の伝送遅延を低減させることができる信号伝送方法、端末デバイス及びネットワークデバイスを提供し、該方法は、端末デバイスが上り伝送のための第１の上り伝送機会と下り伝送のための第１の下り伝送機会との関連関係を示す第１の指示情報を決定することと、前記端末デバイスが前記第１の上り伝送機会に対応する時間ユニットにおいてネットワークデバイスに前記第１の指示情報を送信することとを含む。
2022501865.tif 000002
【特許請求の範囲】
【請求項１】
端末デバイスが上り伝送のための第１の上り伝送機会と下り伝送のための第１の下り伝送機会との関連関係を示す第１の指示情報を決定することと、
前記端末デバイスが前記第１の上り伝送機会に対応する時間ユニットにおいてネットワークデバイスに前記第１の指示情報を送信することとを含む
ことを特徴とする信号伝送方法。
【請求項２】
前記関連関係は、前記第１の上り伝送機会の時間ユニットが前記第１の下り伝送機会の時間ユニットを含むかどうかを含む
ことを特徴とする請求項１に記載の信号伝送方法。
【請求項３】
前記関連関係が前記第１の上り伝送機会と前記第１の下り伝送機会との関連情報を含み、前記関連情報は、前記第１の上り伝送機会のチャネルアクセスタイプ、前記第１の上り伝送機会の時間ユニットと前記第１の下り伝送機会の時間ユニットとの時間間隔情報、前記第１の下り伝送機会の時間ユニット、及び前記第１の下り伝送機会のチャネルアクセスタイプのうちの少なくとも１つを含む
ことを特徴とする請求項１又は２に記載の信号伝送方法。
【請求項４】
前記端末デバイスが前記第１の上り伝送機会に対応する時間ユニットにおいてネットワークデバイスに前記第１の指示情報を送信することは、  
前記端末デバイスが前記ネットワークデバイスにランダムアクセスプリアンブルを送信することを含み、
前記ランダムアクセスプリアンブルを送信するための時間領域リソース、周波数領域リソース及びコード領域リソースのうちの少なくとも１つが、前記第１の指示情報を示すために使用される
ことを特徴とする請求項１〜３のいずれか１項に記載の信号伝送方法。
【請求項５】
前記端末デバイスが前記第１の上り伝送機会に対応する時間ユニットにおいてネットワークデバイスに前記第１の指示情報を送信することは、
前記端末デバイスが前記ネットワークデバイスにランダムアクセスのためのメッセージ３  ＭＳＧ  ３を送信することを含み、前記ＭＳＧ３に前記第１の指示情報が搬送される
ことを特徴とする請求項１〜３のいずれか１項に記載の信号伝送方法。
【請求項６】
前記端末デバイスが第１の指示情報を決定することは、
前記端末デバイスが前記ネットワークデバイスにより送信された第２の指示情報を受信し、前記第２の指示情報が上り伝送のための上り伝送機会と下り伝送のための下り伝送機会との関連関係を示すことと、
前記第２の指示情報を前記第１の指示情報として決定することとを含む
ことを特徴とする請求項１〜３のいずれか１項に記載の信号伝送方法。
【請求項７】
前記端末デバイスが前記ネットワークデバイスにより送信された第２の指示情報を受信することは、
前記端末デバイスが、前記ネットワークデバイスにより物理下り制御チャネルＰＤＣＣＨコマンドで送信された前記第２の指示情報を受信することを含む
ことを特徴とする請求項６に記載の信号伝送方法。
【請求項８】
前記ＰＤＣＣＨコマンドは、前記端末デバイスが非競合に基づくランダムアクセス手順を開始するように制御するために使用される
ことを特徴とする請求項７に記載の信号伝送方法。
【請求項９】
前記第１の下り伝送機会の時間ユニットと前記第１の上り伝送機会の時間ユニットとの時間間隔を第１の時間間隔とする
ことを特徴とする請求項１〜８のいずれか１項に記載の信号伝送方法。
【請求項１０】
前記第１の時間間隔は、前記第１の指示情報で示し、又は、予め定義された時間間隔である
ことを特徴とする請求項９に記載の信号伝送方法。
【請求項１１】
ネットワークデバイスが、端末デバイスにより送信された、上り伝送のための第１の上り伝送機会と下り伝送のための第１の下り伝送機会との関連関係を示す第１の指示情報を受信することと、
前記ネットワークデバイスが前記第１の指示情報に基づいて、下り伝送のための第１の下り伝送機会を決定することとを含む
ことを特徴とする信号伝送方法。
【請求項１２】
前記関連関係は、前記第１の上り伝送機会の時間ユニットが前記第１の下り伝送機会の時間ユニットを含むかどうかを含む
ことを特徴とする請求項１１に記載の信号伝送方法。
【請求項１３】
前記関連関係が前記第１の上り伝送機会と前記第１の下り伝送機会との関連情報を含み、前記関連情報は、前記第１の上り伝送機会のチャネルアクセスタイプ、前記第１の上り伝送機会の時間ユニットと前記第１の下り伝送機会の時間ユニットとの時間間隔情報、前記第１の下り伝送機会の時間ユニット、及び前記第１の下り伝送機会のチャネルアクセスタイプのうちの少なくとも１つを含む
ことを特徴とする請求項１１又は１２に記載の信号伝送方法。
【請求項１４】
前記ネットワークデバイスが端末デバイスにより送信された第１の指示情報を受信することは、
前記ネットワークデバイスが端末デバイスにより送信されたランダムアクセスプリアンブルを受信することを含み、
前記ランダムアクセスプリアンブルを送信するための時間領域リソース、周波数領域リソース及びコード領域リソースのうちの少なくとも１つが、前記第１の指示情報を示すために使用される
ことを特徴とする請求項１１〜１３のいずれか１項に記載の信号伝送方法。
【請求項１５】
前記ネットワークデバイスが端末デバイスにより送信された第１の指示情報を受信することは、
前記ネットワークデバイスが前記端末デバイスにより送信されたランダムアクセスのためのメッセージ３  ＭＳＧ  ３を受信することを含み、前記ＭＳＧ３に前記第１の指示情報が搬送される
ことを特徴とする請求項１１〜１３のいずれか１項に記載の信号伝送方法。
【請求項１６】
前記ネットワークデバイスが前記端末デバイスに第２の指示情報を送信することをさらに含み、
前記第２の指示情報が上り伝送のための上り伝送機会と下り伝送のための下り伝送機会との関連関係を示し、前記第２の指示情報は、前記端末デバイスが前記第１の指示情報を決定するために使用される
ことを特徴とする請求項１１〜１５のいずれか１項に記載の信号伝送方法。
【請求項１７】
前記ネットワークデバイスが前記端末デバイスに第２の指示情報を送信することは、
前記ネットワークデバイスが物理下り制御チャネルＰＤＣＣＨコマンドを介して前記端末デバイスに前記第２の指示情報を送信することを含む
ことを特徴とする請求項１６に記載の信号伝送方法。
【請求項１８】
前記ＰＤＣＣＨコマンドは、前記端末デバイスが非競合に基づくランダムアクセス手順を開始するように制御するために使用される
ことを特徴とする請求項１７に記載の信号伝送方法。
【請求項１９】
前記第１の下り伝送機会の時間ユニットと前記第１の上り伝送機会の時間ユニットとの時間間隔を第１の時間間隔とする
ことを特徴とする請求項１１〜１８のいずれか１項に記載の信号伝送方法。
【請求項２０】
前記第１の時間間隔は、前記第１の指示情報で示し、又は、予め定義された時間間隔である
ことを特徴とする請求項１９に記載の信号伝送方法。
【請求項２１】
決定モジュールと、通信モジュールとを備える端末デバイスであって、
前記決定モジュールは、第１の指示情報を決定するように構成され、前記第１の指示情報が上り伝送のための第１の上り伝送機会と下り伝送のための第１の下り伝送機会との関連関係を示し、
前記通信モジュールは、前記第１の上り伝送機会に対応する時間ユニットにおいてネットワークデバイスに前記第１の指示情報を送信するように構成される
ことを特徴とする端末デバイス。
【請求項２２】
前記関連関係は、前記第１の上り伝送機会の時間ユニットが前記第１の下り伝送機会の時間ユニットを含むかどうかを含む
ことを特徴とする請求項２１に記載の端末デバイス。
【請求項２３】
前記関連関係が前記第１の上り伝送機会と前記第１の下り伝送機会との関連情報を含み、前記関連情報は、前記第１の上り伝送機会のチャネルアクセスタイプ、前記第１の上り伝送機会の時間ユニットと前記第１の下り伝送機会の時間ユニットとの時間間隔情報、前記第１の下り伝送機会の時間ユニット、及び前記第１の下り伝送機会のチャネルアクセスタイプのうちの少なくとも１つを含む
ことを特徴とする請求項２１又は２２に記載の端末デバイス。
【請求項２４】
前記通信モジュールは、
前記ネットワークデバイスにランダムアクセスプリアンブルを送信するように構成され、前記ランダムアクセスプリアンブルを送信するための時間領域リソース、周波数領域リソース及びコード領域リソースのうちの少なくとも１つが、前記第１の指示情報を示すために使用される
ことを特徴とする請求項２１〜２３のいずれか１項に記載の端末デバイス。
【請求項２５】
前記通信モジュールは、さらに、
前記ネットワークデバイスにランダムアクセスのためのメッセージ３  ＭＳＧ  ３を送信するように構成され、前記ＭＳＧ３に前記第１の指示情報が搬送される
ことを特徴とする請求項２１〜２３のいずれか１項に記載の端末デバイス。
【請求項２６】
前記通信モジュールは、さらに、前記ネットワークデバイスにより送信された第２の指示情報を受信するように構成され、前記第２の指示情報が上り伝送のための上り伝送機会と下り伝送のための下り伝送機会との関連関係を示し、
前記決定モジュールは、さらに、前記第２の指示情報を前記第１の指示情報として決定するように構成される
ことを特徴とする請求項２１〜２３のいずれか１項に記載の端末デバイス。
【請求項２７】
前記通信モジュールは、さらに、
前記端末デバイスが、前記ネットワークデバイスにより物理下り制御チャネルＰＤＣＣＨコマンドで送信された前記第２の指示情報を受信するように構成される
ことを特徴とする請求項２６に記載の端末デバイス。
【請求項２８】
前記ＰＤＣＣＨコマンドは、前記端末デバイスが非競合に基づくランダムアクセス手順を開始するように制御するために使用される
ことを特徴とする請求項２７に記載の端末デバイス。
【請求項２９】
前記第１の下り伝送機会の時間ユニットと前記第１の上り伝送機会の時間ユニットとの時間間隔を第１の時間間隔とする
ことを特徴とする請求項２１〜２８のいずれか１項に記載の端末デバイス。
【請求項３０】
前記第１の時間間隔は、前記第１の指示情報で示し、又は、予め定義された時間間隔である
ことを特徴とする請求項２９に記載の端末デバイス。
【請求項３１】
通信モジュールと、決定モジュールとを備えるネットワークデバイスであって、
前記通信モジュールは、端末デバイスにより送信された第１の指示情報を受信するように構成され、前記第１の指示情報が上り伝送のための第１の上り伝送機会と下り伝送のための第１の下り伝送機会との関連関係を示し、
前記決定モジュールは、前記第１の指示情報に基づいて、下り伝送のための第１の下り伝送機会を決定するように構成される
ことを特徴とするネットワークデバイス。
【請求項３２】
前記関連関係は、前記第１の上り伝送機会の時間ユニットが前記第１の下り伝送機会の時間ユニットを含むかどうかを含む
ことを特徴とする請求項３１に記載のネットワークデバイス。
【請求項３３】
前記関連関係が前記第１の上り伝送機会と前記第１の下り伝送機会との関連情報を含み、前記関連情報は、前記第１の上り伝送機会のチャネルアクセスタイプ、前記第１の上り伝送機会の時間ユニットと前記第１の下り伝送機会の時間ユニットとの時間間隔情報、前記第１の下り伝送機会の時間ユニット、及び前記第１の下り伝送機会のチャネルアクセスタイプのうちの少なくとも１つを含む
ことを特徴とする請求項３１又は３２に記載のネットワークデバイス。
【請求項３４】
前記通信モジュールは、端末デバイスにより送信されたランダムアクセスプリアンブルを受信するように構成され、前記ランダムアクセスプリアンブルを送信するための時間領域リソース、周波数領域リソース及びコード領域リソースのうちの少なくとも１つが、前記第１の指示情報を示すために使用される
ことを特徴とする請求項３１〜３３のいずれか１項に記載のネットワークデバイス。
【請求項３５】
前記通信モジュールは、前記端末デバイスにより送信されたランダムアクセスのためのメッセージ３  ＭＳＧ  ３を受信するように構成され、前記ＭＳＧ３に前記第１の指示情報が搬送される
ことを特徴とする請求項３１〜３３のいずれか１項に記載のネットワークデバイス。
【請求項３６】
前記通信モジュールは、さらに、前記端末デバイスに第２の指示情報を送信するように構成され、前記第２の指示情報が上り伝送のための上り伝送機会と下り伝送のための下り伝送機会との関連関係を示し、前記第２の指示情報は、前記端末デバイスが前記第１の指示情報を決定するために使用される
ことを特徴とする請求項３１〜３５のいずれか１項に記載のネットワークデバイス。
【請求項３７】
前記通信モジュールは、さらに、
物理下り制御チャネルＰＤＣＣＨコマンドを介して前記端末デバイスに前記第２の指示情報を送信するように構成される
ことを特徴とする請求項３６に記載のネットワークデバイス。
【請求項３８】
前記ＰＤＣＣＨコマンドは、前記端末デバイスが非競合に基づくランダムアクセス手順を開始するように制御するために使用される
ことを特徴とする請求項３７に記載のネットワークデバイス。
【請求項３９】
前記第１の下り伝送機会の時間ユニットと前記第１の上り伝送機会の時間ユニットとの時間間隔を第１の時間間隔とする
ことを特徴とする請求項３１〜３８のいずれか１項に記載のネットワークデバイス。
【請求項４０】
前記第１の時間間隔は、前記第１の指示情報で示し、又は、予め定義された時間間隔である
ことを特徴とする請求項３９に記載のネットワークデバイス。
【請求項４１】
コンピュータプログラムを記憶するプロセッサと、前記メモリに格納されたコンピュータプログラムを呼び出して実行し、請求項１〜１０のいずれか１項に記載の方法を実行するプロセッサとを備える
ことを特徴とする端末デバイス。
【請求項４２】
コンピュータプログラムをメモリから呼び出して実行し、請求項１〜１０のいずれか１項に記載の方法を、チップが搭載された装置に実行させるプロセッサを有する
ことを特徴とするチップ。
【請求項４３】
請求項１〜１０のいずれか１項に記載の方法をコンピュータに実行させるコンピュータプログラムを記憶する
ことを特徴とするコンピュータ可読記憶媒体。
【請求項４４】
請求項１〜１０のいずれか１項に記載の方法をコンピュータに実行させるコンピュータプログラム命令を含む
ことを特徴とするコンピュータプログラム製品。
【請求項４５】
請求項１〜１０のいずれか１項に記載の方法をコンピュータに実行させる
ことを特徴とするコンピュータプログラム。
【請求項４６】
コンピュータプログラムを記憶するプロセッサと、前記メモリに格納されたコンピュータプログラムを呼び出して実行し、請求項１１〜２０のいずれか１項に記載の方法を実行するプロセッサとを備える
ことを特徴とするネットワークデバイス。
【請求項４７】
コンピュータプログラムをメモリから呼び出して実行し、請求項１１〜２０のいずれか１項に記載の方法を、チップが搭載された装置に実行させるプロセッサを有する
ことを特徴とするチップ。
【請求項４８】
請求項１１〜２０のいずれか１項に記載の方法をコンピュータに実行させるコンピュータプログラムを記憶する
ことを特徴とするコンピュータ可読記憶媒体。
【請求項４９】
請求項１１〜２０のいずれか１項に記載の方法をコンピュータに実行させるコンピュータプログラム命令を含む
ことを特徴とするコンピュータプログラム製品。
【請求項５０】
請求項１１〜２０のいずれか１項に記載の方法をコンピュータに実行させる
ことを特徴とするコンピュータプログラム。
【請求項５１】
請求項２１〜３０のいずれか１項に記載の端末デバイスと、請求項３１〜４０のいずれか１項に記載のネットワークデバイスとを備える
ことを特徴とする通信システム。
【発明の詳細な説明】
【技術分野】
【０００１】
本願の実施例は、通信分野に関し、具体的に、信号伝送方法、端末デバイス及びネットワークデバイスに関する。
【背景技術】
【０００２】
免許不要スペクトルにおいて、通信デバイスは、ＬＢＴ（Ｌｉｓｔｅｎ Ｂｅｆｏｒｅ Ｔａｌｋ)の原理に従うことが一般的であり、即ち、免許不要スペクトルのチャネル上で信号を送信する前に、チャネル検出を行い、チャネル検出結果に基づいて信号の送信が可能か否かを判断し、チャネル検出結果が空きの場合には信号の送信が可能であり、チャネル検出結果がビジーの場合には信号の送信が不可能である。
【０００３】
ニューラジオ( Ｎｅｗ Ｒａｄｉｏ、ＮＲ )技術が免許不要スペクトルに適用されるとき、いくつかのシナリオでは、端末デバイスは、ランダムアクセス手順などの上り伝送を自律的に開始することができ、この場合、ランダムアクセス手順では、端末デバイスまたはネットワークデバイスを送信側とすると、信号の送信のために最初にチャネル検出を行う必要があり、チャネル検出が失敗した場合、信号伝送の遅延が増加し、ユーザ体験に影響を与える。
【発明の概要】
【０００４】
本願の実施例は、信号の伝送遅延を低減し、ユーザの体験を向上させることができる信号伝送方法、端末デバイス及びネットワークデバイスを提供する。
【０００５】
第１の態様は、信号伝送方法を提供し、端末デバイスが上り伝送のための第１の上り伝送機会と下り伝送のための第１の下り伝送機会との関連関係を示す第１の指示情報を決定することと、前記端末デバイスが前記第１の上り伝送機会に対応する時間ユニットにおいてネットワークデバイスに前記第１の指示情報を送信することとを含む。
【０００６】
第２の態様は、信号伝送方法を提供し、ネットワークデバイスが、端末デバイスにより送信された、上り伝送のための第１の上り伝送機会と下り伝送のための第１の下り伝送機会との関連関係を示す第１の指示情報を受信することと、前記ネットワークデバイスが前記第１の指示情報に基づいて、下り伝送のための第１の下り伝送機会を決定することとを含む。
【０００７】
第３の態様は、上記の第１の態様または第１の態様の任意の可能な実装における方法を実行するための端末デバイスを提供する。具体的には、端末デバイスは、上記の第１の態様または第１の態様の可能な実施のいずれかにおける方法を実行するためのユニットを備える。
【０００８】
第４の態様は、上記の第２の態様または第２の態様の任意の可能な実装における方法を実行するためのネットワークデバイスを提供する。具体的には、ネットワークデバイスは、上記の第２の態様または第２の態様の可能な実施のいずれかにおける方法を実行するためのユニットを備える。
【０００９】
第５の態様は、プロセッサとメモリとを有する端末デバイスを提供する。このメモリは、コンピュータプログラムを記憶し、このプロセッサは、このメモリに記憶されたコンピュータプログラムを呼び出して実行し、上記第１の態様またはその各実施態様における方法を実行する。
【００１０】
第６の態様は、プロセッサとメモリとを有するネットワークデバイスを提供する。このメモリは、コンピュータプログラムを記憶し、このプロセッサは、このメモリに記憶されたコンピュータプログラムを呼び出して実行し、上記第２の態様またはその各実施態様における方法を実行する。
【００１１】
第７の態様は、上記の第１の態様から第２の態様のいずれかまたはその様々な実装における方法を実装するためのチップを提供する。
【００１２】
具体的には、チップは、コンピュータプログラムをメモリから呼び出して実行し、チップが搭載された装置に、上記の第１の態様から第２の態様のいずれか１つまたはその各実施態様に従う方法を実行させるプロセッサを含む。
【００１３】
第８の態様は、コンピュータに、上記の第１の態様から第２の態様のいずれか１つまたはその各実施態様における方法を実行させるコンピュータプログラムを記憶するためのコンピュータ可読記憶媒体を提供する。
【００１４】
第９の態様は、コンピュータに、上記の第１の態様から第２の態様のいずれか１つまたはその様々な実施態様における方法を実行させるコンピュータプログラム命令を含むコンピュータプログラム製品を提供する。
【００１５】
第１０の態様は、コンピュータ上で実行されると、コンピュータに、上記の第１の態様から第２の態様のいずれか１つまたはその様々な実施態様における方法を実行させるコンピュータプログラムを提供する。
【００１６】
上記の技術案によれば、端末デバイスは、この端末デバイスの上り伝送機会とネットワークデバイスのその後の下り伝送機会との関連関係を示す第１の指示情報を決定し、さらに、上り伝送において第１の指示情報をネットワークデバイスに通知することで、ネットワークデバイスは、この関連関係に従って上り伝送機会を適切に共有することができ、信号の伝送遅延を低減し、ユーザ体験を向上させることができる。
【図面の簡単な説明】
【００１７】
【図１】本願の実施例における通信システムアーキテクチャの模式図である。
【図２】本願の実施例における信号伝送方法のフローチャートである。
【図３】本願の他の実施例における信号伝送方法の模式図である。
【図４】本願の実施例における端末デバイスのブロック図である。
【図５】本願の実施例におけるネットワークデバイスのブロック図である。
【図６】本願の実施例における通信デバイスのブロック図である
【図７】本願の実施例におけるチップのブロック図である。
【図８】本願の実施例における通信システムのブロック図である。
【発明を実施するための形態】
【００１８】
以下、本願の実施例について図面を参照して説明するが、本願は、この実施例に限定されるものではなく、本願の技術的思想に基づく各種の変形が可能である。本願における実施例に基づいて、当業者が創造的な労働をすることなく得られる全ての他の実施例は、本願の保護範囲に属する。
【００１９】
本願の実施例の技術的思想は、例えば、ＧＳＭ( Ｇｌｏｂａｌ Ｓｙｓｔｅｍ ｏｆ Ｍｏｂｉｌｅ ｃｏｍｍｕｎｉｃａｔｉｏｎ)システム、符号分割多元接続( Ｃｏｄｅ Ｄｉｖｉｓｉｏｎ Ｍｕｌｔｉｐｌｅ Ａｃｃｅｓｓ、ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ )システム、汎用パケット無線サービス( Ｇｅｎｅｒａｌ Ｐａｃｋｅｔ Ｒａｄｉｏ Ｓｅｒｖｉｃｅ、ＧＰＲＳ )、ロングタームエボリューション( Ｌｏｎｇ  Ｔｅｒｍ  Ｅｖｏｌｕｔｉｏｎ、ＬＴＥ )システム、ＬＴＥ周波数分割複信( Ｆｒｅｑｕｅｎｃｙ Ｄｉｖｉｓｉｏｎ Ｄｕｐｌｅｘ、ＦＤＤ )システム、ＬＴＥ時分割複信( Ｔｉｍｅ Ｄｉｖｉｓｉｏｎ Ｄｕｐｌｅｘ、ＴＤＤ )、汎用移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )、全地球相互接続マイクロ波アクセス( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ、ＷｉＭＡＸ )通信システム、又は５Ｇシステム等の様々な通信システムに適用可能である。
【００２０】
本願の実施例が適用される通信システム１００は、例えば図１に示すようなものである。通信システム１００は、端末デバイス１２０ (または通信端末、端末)と通信するデバイスであるネットワークデバイス１１０を含み得る。ネットワークデバイス１１０は、特定の地理的エリアに通信カバレージを提供し得、そのカバレージ内に位置する端末デバイスと通信し得る。任意選択で、ネットワークデバイス１１０は、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )、ＷＣＤＭＡシステムにおける基地局( ＮｏｄｅＢ、ＮＢ )、ＬＴＥシステムにおける発展型基地局( Ｅｖｏｌｕｔｉｏｎａｌ Ｎｏｄｅ Ｂ、ｅＮＢ、又はｅＮｏｄｅＢ )、またはクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、または、モバイルスイッチングハブ、中継局、アクセスポイント、車載デバイス、ウェアラブルデバイス、ハブ、スイッチ、ブリッジ、ルータ、５Ｇネットワークにおけるネットワーク側デバイス、または将来進化するパブリック地上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００２１】
通信システム１００は、ネットワークデバイス１１０のカバレージ内に配置された少なくとも１つの端末デバイス１２０をさらに含む。本明細書で使用される「端末デバイス」としては、公衆交換電話網( Ｐｕｂｌｉｃ Ｓｗｉｔｃｈｅｄ Ｔｅｌｅｐｈｏｎｅ Ｎｅｔｗｏｒｋｓ、ＰＳＴＮ )、デジタル加入者線( Ｄｉｇｉｔａｌ Ｓｕｂｓｃｒｉｂｅｒ Ｌｉｎｅ、ＤＳＬ )、デジタルケーブル、直接ケーブル接続などの有線回線を介した接続、および/または別のデータ接続/ネットワーク、および/または、セルラネットワーク、ワイヤレスローカルエリアネットワーク( Ｗｉｒｅｌｅｓｓ Ｌｏｃａｌ Ａｒｅａ Ｎｅｔｗｏｒｋ、ＷＬＡＮ )、ＤＶＢ−Ｈネットワークなどのデジタルテレビジョンネットワーク、衛星ネットワーク、ＡＭ−ＦＭ放送受信機などの無線インターフェース、及び/又は通信信号を受信/送信するように構成された別の端末デバイスのための手段、および/またはモノのインターネット( Ｉｎｔｅｒｎｅｔ ｏｆ Ｔｈｉｎｇｓ、ＩｏＴ )装置を含む。無線インターフェースを介して通信するように設定された端末デバイスは、「無線通信端末」、「無線端末」、又は「移動端末」と称され得る。移動端末の例は、衛星又は携帯電話を含むがこれらに限定されない、セルラー無線電話とデータ処理、ファクシミリ、及びデータ通信能力を組み合わせることができるパーソナル通信システム( Ｐｅｒｓｏｎａｌ Ｃｏｍｍｕｎｉｃａｔｉｏｎｓ Ｓｙｓｔｅｍ、ＰＣＳ )端末、ＰＤＡは、無線電話、ページャ、インターネット/イントラネット接続、ウェブブラウザ、メモ帳、カレンダー、及び/又は全地球測位システム( Ｇｌｏｂａｌ Ｐｏｓｉｔｉｏｎｉｎｇ Ｓｙｓｔｅｍ、ＧＰＳ )受信機を含み得る、従来のノート型受信機やパームトップ型受信機等の電子機器に内蔵されている無線電話送受信機に適用してもよい。端末デバイスは、アクセス端末、ユーザ機器( Ｕｓｅｒ Ｅｑｕｉｐｍｅｎｔ、ＵＥ )、ユーザ機器、ユーザ局、移動局、リモート端末、モバイル機器、ユーザ端末、無線通信機器、ユーザエージェント、又はユーザ装置を指してもよい。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、５Ｇネットワークにおける端末デバイス、または将来開発されるＰＬＭＮにおける端末デバイスなどであり得る。
【００２２】
任意選択で、端末デバイス１２０間の端末直接接続( Ｄｅｖｉｃｅ ｔｏ Ｄｅｖｉｃｅ、Ｄ２Ｄ )通信が行われてもよい。
【００２３】
任意選択で、５Ｇシステム又は５Ｇネットワークは、ニューラジオ( Ｎｅｗ Ｒａｄｉｏ、ＮＲ )システム又はＮＲネットワークとも呼ばれ得る。
【００２４】
図１は、１つのネットワークデバイス及び２つの端末デバイスを例示的に示しているが、任意選択で、この通信システム１００は、複数のネットワークデバイスを含んでもよく、各ネットワークデバイスのカバレージ内に他の数の端末デバイスを含んでもよく、本願の実施例はこれに限定されない。
【００２５】
任意選択で、この通信システム１００は、ネットワークコントローラ、モビリティ管理エンティティなどの他のネットワークエンティティをさらに含むことができ、本願の実施例はこれに限定されない。
【００２６】
本願の実施例に係る通信システムは、キャリアアグリゲーション( ＣＡ、Ｃａｒｒｉｅｒ Ａｇｇｒｅｇａｔｉｏｎ )シナリオに適用されてもよく、デュアルコネクティビティ( ＤＣ、Ｄｕａｌ Ｃｏｎｎｅｃｔｉｖｉｔｙ )シナリオに適用されてもよく、スタンドアロン( ＳＡ、Ｓｔａｎｄａｌｏｎｅ )ネットワーキングシナリオに適用されてもよい。
【００２７】
本願の実施例における通信システムが免許不要スペクトルに適用され、ネットワークアーキテクチャがＣＡである場合、このＣＡネットワークアーキテクチャは、一次キャリアが免許スペクトルにあり、二次キャリアが免許不要スペクトルにあり、一次キャリアおよび二次キャリアが理想的バックホール（ｂａｃｋｈａｕｌ）によって接続される。
【００２８】
本願の実施例における通信システムが免許不要スペクトルに適用され、ネットワークアーキテクチャがＤＣである場合、ＤＣネットワークアシーンは、一次キャリアが免許スペクトルにあり、二次キャリアが免許不要スペクトルにあり、一次キャリアおよび二次キャリアは非理想的バックハールｂａｃｋｈａｕｌによって接続されており、一次キャリア上のシステムは、二次キャリア上のシステムとは異なるシステムに属し得、例えば、一次キャリア上のシステムはＬＴＥシステムであり、二次キャリア上のシステムはＮＲシステムであり得、又は、一次キャリア上のシステムは、二次キャリア上のシステムと同じシステムに属し得、例えば、一次キャリアおよび二次キャリア上のシステムは、ＬＴＥシステムまたはＮＲシステムである。
【００２９】
本願の実施例に係る通信システムが免許不要スペクトルに適用され、ネットワーアーキテクチャがＳＡである場合、端末デバイスは免許不要スペクトル上のシステムを通じてネットワークにアクセスすることができる。
【００３０】
限定ではなく例として、本願の実施例では、この免許不要スペクトルリソースは、５ギガヘルツ( Ｇｉｇａ Ｈｅｒｔｚ、ＧＨｚ )付近の周波数帯域、２.４ ＧＨｚ付近の周波数帯域、３.５ ＧＨｚ付近の周波数帯域、３７ ＧＨｚ付近の周波数帯域、６０ ＧＨｚ付近の周波数帯域を含み得る。
【００３１】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００３２】
以下、図２〜図３を参照して、本願の実施例による信号伝送方法を説明し、図２〜図３は、本願の実施例による信号伝送方法の主要なステップ又は動作を示すが、これらのステップ又は動作は、単なる例であり、本願の実施例は、図２〜図３の様々な動作の他の動作又は変形を実行することもできる。さらに、本願の方法の実施例における様々なステップは、方法の実施例に記載された異なる順序で実行されてもよく、方法の実施例における全ての動作が実行されるべきではないこともあり得る。
【００３３】
図２は本願の実施例における信号伝送方法のフローチャートである。図２に示すように、この方法２００は、以下のステップを含み、
Ｓ２１０において、端末デバイスが上り伝送のための第１の上り伝送機会と下り伝送のための第１の下り伝送機会との関連関係を示す第１の指示情報を決定し、
Ｓ２２０において、前記端末デバイスが前記第１の上り伝送機会に対応する時間ユニットにおいてネットワークデバイスに前記第１の指示情報を送信する。
【００３４】
本願の実施例において、端末デバイスは、免許不要スペクトル上で信号を伝送する前に、まず、免許不要スペクトルのキャリア上でチャネル検出を必要とし、チャネル検出が成功した場合、端末デバイスは、上り伝送機会を１回を取得し、この上り伝送機会の時間ユニットにおいてこの端末デバイスが上り伝送を行うことができ、例えば、ランダムアクセスプリアンブル（ｐｒｅａｍｂｌｅ又はＭＳＧ１と呼ぶ）又はランダムアクセス手順におけるメッセージ３ (すなわち、ＭＳＧ３ )をネットワークデバイスに送信し、又は他の上り信号をネットワークデバイスに送信し、本願の実施例がこれに限定されない。
【００３５】
なお、本願の実施例において、１回の上り伝送機会は、端末デバイスが連続的に送信する時間ユニットであってもよく、１つの時間ユニットは、１つ又は複数のサブフレームであってもよく、１つ又は複数のスロットであってもよく、１つ又は複数のミニスロット等であってもよく、本願の実施例はこれに限定されない
また、１回の上り伝送機会の開始時間ユニットおよび/または終了時間ユニットは、完全な時間ユニット、例えば、完全な１つのサブフレーム、１つのスロットまたは１つのマイクロスロットなど、または部分的な時間ユニット、例えば、部分的なサブフレーム、部分的なスロットまたは部分的なマイクロスロットなどであり得、本願の実施例は、それらに限定されない
これに対応して、１回の下り伝送機会は、ネットワークデバイスが連続的に伝送する時間ユニットであってもよく、１つの時間ユニットは、１つ又は複数のサブフレームであってもよく、１つ又は複数のスロットであってもよく、又は１つ又は複数のミニスロットであってもよいなど、本願実施例はこれに限定されない。
【００３６】
任意選択で、１回の下り伝送機会の開始時間ユニットおよび/または終了時間ユニットは、完全な時間ユニット、例えば、完全な１つのサブフレーム、１つのスロットまたは１つのマイクロスロットなど、または部分的な時間ユニット、例えば、部分的なサブフレーム、部分的なスロットまたは部分的なマイクロスロットなどであり得、本願の実施例は、それらに限定されない
本願の実施例において、端末デバイスが上り伝送機会を取得するために使用するチャネルアクセスタイプ(又はチャネル検出方式)は、第１のチャネルアクセスタイプと第２のチャネルアクセスタイプとを含むことができ、第１のチャネルアクセスタイプは、単回検出( Ｃｌｅａｒ Ｃｈａｎｎｅｌ Ａｓｓｅｓｓｍｅｎｔ、ＣＣＡ )として理解され、第２のチャネルアクセスタイプは、競合ウィンドウに基づくＣＣＡとして理解されることができる。
【００３７】
任意選択で、いくつかの実施例において、第１のチャネルアクセスタイプのチャネル検出は、以下のプロセスを含む。
【００３８】
端末デバイスは、信号を送信する前に、まず、免許不要スペクトル上の搬送波に対してＴｏｎｅ−ｓｈｏｔの長さのチャネル検出を行い、チャネル検出結果が空きであればＬＢＴ成功、すなわちチャネル検出が成功し、チャネル検出結果がチャネルビジーであればＬＢＴ失敗、すなわちチャネル検出が失敗する。任意選択で、Ｔｏｎｅ−ｓｈｏｔの長さは、ネットワークデバイスが示すものでもよく、サービス優先度に応じて決定されるものでもよく、通信システムが規定するものでもよい。任意選択で、いくつかの実施例では、Ｔｏｎｅ−ｓｈｏｔの長さは２５マイクロ秒であり得る。
【００３９】
すなわち、第１のチャネルアクセスタイプのチャネル検出では、１回のチャネル検出の結果、チャネルがビジーの場合にはチャネル検出が失敗し、１回のチャネルが空きの場合にはチャネル検出が成功する。
【００４０】
任意選択で、いくつかの実施例において、第２のチャネルアクセスタイプは、競合ウィンドウに基づくチャネル検出であり、この競合ウィンドウのサイズは、チャネルアクセスパラメータのセットに対応するチャネルアクセス優先度に従って決定されてもよく、表１に示されるように、第２のチャネルアクセスタイプに従ってチャネル検出を行うとき、チャネルアクセス優先度に対応するチャネルアクセスパラメータに従ってチャネル検出を行ってもよい。なお、表１中のチャネルアクセス優先度の番号が小さいほど優先度が高いことを示す。任意選択で、チャネルアクセス優先度は、送信される信号の時間領域リソースの長さや、送信される信号の優先度に応じて決定されてもよい。
【００４１】
任意選択で、いくつかの実施例において、第２のチャネルアクセスタイプのチャネル検出は、具体的には、以下のステップを含み、
Ｓ１において、カウンタのカウント値Ｎ ＝ Ｎｉｎｉｔとし、ここでＮｉｎｉｔは０からＣＷｐの間に一様に分布する乱数であり、ステップＳ４を実行し、
Ｓ２において、Ｎがゼロよりも大きい場合、カウンタのカウント値に１を減算し、すなわちＮ ＝ Ｎ−1とし、
Ｓ３において、チャネルに対して長さＴｓｌ (ここで、Ｔｓｌ長さが９ ｕｓ、すなわちＣＣＡスロット長が９ ｕｓ )のＣＣＡスロット検出を行い、該ＣＣＡスロットが空っている場合、ステップＳ４を実行し、そうでない場合、ステップＳ５を実行し、
Ｓ４において、Ｎがゼロに等しい場合、チャネルアクセス手順を終了し、そうでない場合、ステップＳ２を実行し、
Ｓ５において、チャネルに対して、時間長さＴｄ （ Ｔｄ＝１６＋ｍｐ＊９（ｕｓ））のＣＣＡスロット検出を行い、このＣＣＡ検出の結果として、少なくとも１つのＣＣＡスロットが占有されているか、または、全てのＣＣＡスロットが空って、
Ｓ６において、チャネル検出結果がＴｄ時間内に全てのＣＣＡスロットが空いていれば、ステップＳ４を実行し、そうでない場合は、ステップＳ５を実行する。
【００４２】
なお、この第２のチャネルアクセスタイプのチャネル検出では、チャネルアクセス手順が終了した時にチャネル検出が成功したとみなし、そうでない場合、チャネル検出が失敗したとみなし、チャネルが空っている場合のみでチャネル検出が成功したとみなすことでない。ここで、ＣＷｐ及びｍｐは、サービス優先度に
【表１】
2022501865.tif 000003
ここで、
2022501865.tif 000004
がチャネルアクセス優先度
2022501865.tif 000005
に対応するＣＷｐの最小値であり、
2022501865.tif 000006
がチャネルアクセス優先度
2022501865.tif 000007
に対応するＣＷｐの最大値であり、
2022501865.tif 000008
がチャネルアクセス優先度
2022501865.tif 000009
に対応する信号伝送が占用する可能な時間長さである。
【００４３】
なお、本願の実施例において、チャネルアクセス優先度に対応するチャネルアクセスパラメータテーブルは、表１のように、既存のＬＴＥシステムにおける下りチャネルアクセスのためのチャネルアクセスパラメータテーブルであってもよい。または、既存ＬＴＥシステムにおける上りチャネルアクセスのためのチャネルアクセスパラメータテーブルであってもよい。または、チャネルアクセスパラメータテーブルは、信号がサポートする伝送長に応じて新たに定義されたチャネルアクセスパラメータテーブルあってもよく、本願実施例はこれに限定されない。
【００４４】
本願の実施例において、端末デバイスは、該端末デバイスの上り伝送のための第１の上り伝送機会とネットワークデバイスのその後の下り伝送のための第１の下り伝送機会との間の関連関係を示すために使用され得る第１の指示情報を決定する。さらに、端末デバイスは、上り伝送において第１の指示情報をネットワークデバイスに通知することができ、ネットワークデバイスは、この第１の指示情報に基づいて、第１の下り伝送機会と第１の上り伝送機会との関連関係を決定し、さらに、この関連関係に基づいて、第１の下り伝送機会の時間ユニットや、下り伝送前にチャネル検出を行う際に用いるチャネルアクセスタイプ等の情報を決定することができる。例えば、ネットワークデバイスが、関連関係に基づいて第１の上り伝送機会の時間ユニットを共有できると決定する場合、ネットワークデバイスを送信側とすると、チャネル検出を行わず、又は、短時間のチャネル検出(例えば、優先度の高い第２のチャネルアクセスタイプを採用する)を行って、下り伝送を行うことができ、信号の伝送遅延を低減するのに有利である。
【００４５】
任意選択で、一例として、端末デバイスは、ネットワークデバイスにこの第１の指示情報を通知してもよく、具体的には、端末デバイスがネットワークデバイスに送信する上りメッセージに第１の指示情報が搬送され、例えば、端末デバイスがネットワークデバイスに送信するＭＳＧ１又はＭＳＧ３に第１の指示情報を搬送し、すなわち、ＭＳＧ１又はＭＳＧ３を介して第１の指示情報を搬送し、又は、端末デバイスが他の上りメッセージ、上り信号、又は上りチャネル等を介してネットワークデバイスに第１の指示情報を通知してもよく、本願は、特に限定されない。
【００４６】
任意選択で、別の実施例として、端末デバイスは、上りメッセージ、上り信号又は上りチャネルのリソースを送信することによって、第１の指示情報を暗黙的に指示することができ、例えば、端末デバイスは、ＭＳＧ１をネットワークデバイスに送信することができ、ＭＳＧ１送信の時間領域リソース、周波数領域リソース、及びコード領域リソースのうちの少なくとも１つによって、第１の指示情報を暗黙的に指示することができ、すなわち、ＭＳＧ１送信の異なる時間領域リソース、周波数領域リソース、又はコード領域リソースは、異なる第１の指示情報を指示することができる。もちろん、端末デバイスは、他の方式でネットワークデバイスに第１の指示情報を指示してもよく、本願の実施例はこれに限定されない。
【００４７】
なお、本願の実施例による上りチャネルは、物理ランダムアクセスチャネル( ＰＲＡＣＨ、Ｐｈｙｓｉｃａｌ Ｒａｎｄｏｍ Ａｃｃｅｓｓ ＣＨａｎｎｅｌ )、物理上り制御チャネル( ＰＵＣＣＨ、Ｐｈｙｓｉｃａｌ Ｕｐｌｉｎｋ Ｃｏｎｔｒｏｌ ＣＨａｎｎｅｌ )、物理上り共有チャネル( ＰＵＳＣＨ、Ｐｈｙｓｉｃａｌ Ｕｐｌｉｎｋ Ｓｈａｒｅｄ ＣＨａｎｎｅｌ )などを含むことができ、本願はこれに限定されない。
【００４８】
なお、本願の実施例の上り信号は、上り復調参照信号( ＤｅＭｏｄｕｌａｔｉｏｎ Ｒｅｆｅｒｅｎｃｅ Ｓｉｇｎａｌ、ＤＭＲＳ )、サウンディング参照信号( Ｓｏｕｎｄｉｎｇ Ｒｅｆｅｒｅｎｃｅ Ｓｉｇｎａｌ、ＳＲＳ )、位相追跡参照信号( Ｐｈａｓｅ Ｔｒａｃｋｉｎｇ Ｒｅｆｅｒｅｎｃｅ Ｓｉｇｎａｌ、ＰＴ−ＲＳ )などを含み得るが、本願はそれらに限定されない
任意選択で、いくつかの実施例において、この第１の指示情報が示す関連関係は、この第１の上り伝送機会の時間ユニットがこの第１の下り伝送機会の時間ユニットを含むかどうかを含む。
【００４９】
すなわち、該関連関係は、該第１の上り伝送機会の時間ユニットを該第１の下り伝送機会に共有するかどうかを含む。
【００５０】
任意選択で、端末デバイスは、第１の上り伝送機会のチャネル占有時間に基づいて、第１の上り伝送機会の時間ユニットを第１の下り伝送機会に共有するか否かを決定することができ、例えば、優先度の低いＣＣＡで該第１の上り伝送機会が得られた場合、この第１の上り伝送機会の最大チャネル占有時間( Ｍａｘｉｍｕｍ Ｃｈａｎｎｅｌ Ｏｃｃｕｐａｔｉｏｎ Ｔｉｍｅ、ＭＣＯＴ )は、通常、長いものであり、この場合、端末デバイスは、第１の下り伝送機会に第１の上り伝送機会の時間ユニットを共有して使用できるとみなし、第１の指示情報により関連関係をネットワークデバイスに指示し、ネットワークデバイスは、この第１の指示情報を受信した後、その関連関係に基づいて第１の上り伝送機会の時間ユニットが第１の下り伝送機会の時間ユニットを含むとを決定し、すなわち、第１の上り伝送機会の時間ユニットは、第１の下り伝送機会に共有して使用することができ、この場合、このネットワークデバイスは、チャネル検出を行うことなく、又は、優先度の高いＣＣＡのみ(すなわち短時間のチャネル検出)を行うだけで、該第１の上り伝送機会の時間ユニットで下り伝送を行うことができ、伝送遅延の低減に寄与する。
【００５１】
任意選択で、いくつかの特定の実施例において、端末デバイスが該第１の上り伝送機会の時間ユニットを該第１の下り伝送機会に共有できると決定する場合、その関連関係は、第１の上り伝送機会と第１の下り伝送機会との間の共有情報をさらに含むことができる。限定ではなく例として、共有情報は、該第１の上り伝送機会のチャネルアクセスタイプ、第１の上り伝送機会の時間ユニットと第１の下り伝送機会の時間ユニットとの間の時間間隔情報、第１の下り伝送機会の時間ユニットおよび該第１の下り伝送機会のチャネルアクセスタイプのうちの少なくとも１つを含み得るか、または該第１の下り伝送機会の時間ユニットまたはチャネルアクセスタイプを決定するために使用される他のに関連する情報を含み得るが、本願の実施例はこれに限定されない。
【００５２】
なお、ここで、第１の上り伝送機会のチャネルアクセスタイプとは、第１の上り伝送機会を取得する際に用いられるチャネルアクセスタイプ、すなわち、第１の上り伝送機会がどのようなチャネル検出方式で取得されたものであるかを意味する。第１の下り伝送機会の時間ユニットは、ネットワークデバイスが下り伝送を行う時間領域位置を指してもよく、例えば、第１の下り伝送機会の開始時間ユニット又は時間窓などであり、これに対応して、第１の下り伝送機会のチャネルアクセスタイプ及び時間ユニットの意味は類似しており、ここで説明を省略する。
【００５３】
任意選択で、いくつかの実施例において、第１の下り伝送機会の時間ユニットは、端末デバイスが第１の上り伝送機会の時間ユニットに従って決定されてもよく、例えば、端末デバイスは、第１の上り伝送機会の時間ユニットの一部を第１の下り伝送機会の時間ユニットとして決定してもよく、または、第１の上り伝送機会の時間ユニットと第１の下り伝送機会の時間ユニットとが一定の時間間隔を有し、端末デバイスは、第１の上り伝送機会の時間ユニットと時間間隔とに従って第１の下り伝送機会の時間ユニットを決定することができる。例えば、端末デバイスは、第１の上り伝送の開始時間ユニットの後の第１の時間間隔の時間ユニットを、第１の下り伝送機会の開始時間ユニットとして決定することができる。
【００５４】
任意選択で、いくつかの実施例において、第１の下り伝送機会のチャネルアクセスタイプは、第１の上り伝送機会のチャネルアクセスタイプに基づいて端末デバイスによって決定されてもよく、すなわち、端末デバイスは、第１の上り伝送機会のチャネルアクセスタイプに基づいて、ネットワークデバイスが下り伝送する前にチャネル検出を行うために使用するチャネルアクセスタイプを決定してもよい。例えば、端末デバイスは、第２のチャネルアクセスタイプから第１の上り伝送機会を取得し、対応するチャネルアクセス優先度が低い場合には、第１の下り伝送機会のチャネルアクセスタイプを第１のチャネルアクセスタイプと決定し、又は、第１のチャネルアクセスタイプを用いて第１の上り伝送機会を取得した場合には、下り伝送機会のチャネルアクセスタイプを優先度の低い第２のチャネルアクセスタイプと決定することができる。
【００５５】
任意選択で、いくつかの実施例において、ネットワークデバイスは、該関連情報に含まれる該第１の上り伝送機会のチャネルアクセスタイプに基づいて、第１の下り伝送機会のチャネルアクセスタイプ又は時間ユニットを決定することができ、例えば、該第１の上り伝送機会が第２のチャネルアクセスタイプに基づいて取得され、且つ、対応するチャネルアクセス優先度が低い場合、該ネットワークデバイスは、第１の下り伝送機会のチャネルアクセスタイプを第１のチャネルアクセスタイプとして決定し、又は、該第１の下り伝送機会が該第１の上り伝送機会の時間ユニットを共有すると決定し、即ち、第１の下り伝送機会の時間ユニットが第１の上り伝送機会の時間ユニットを含み、又は、該第１の上り伝送機会が第１のチャネルアクセスタイプを利用して取得される場合、該ネットワークデバイスは、下り伝送機会のチャネルアクセスタイプを優先度の低い第２のチャネルアクセスタイプとして決定してもよい。
【００５６】
任意選択で、いくつかの実施例において、前記端末デバイスは、この第１の上り伝送機会のチャネルアクセスタイプまたはチャネルアクセス優先度情報に従って、第１の指示情報によって示される内容を決定し得る。
【００５７】
例えば、前記第１の上り伝送機会のチャネルアクセスタイプが第２のチャネルアクセスタイプであり、チャネルアクセス優先度が予め設定された優先度閾値よりも低い場合、端末デバイスは、第１の上り伝送機会の時間ユニットを第１の下り時間ユニットに共有して使用できると見なし、従って、端末デバイスは、第１の指示情報が、下り伝送のための第１の下り伝送機会の時間ユニット及び/又は第１の上り伝送機会のチャネルアクセスタイプを示すと決定し、ネットワークデバイスは、第１の指示情報に従って第１の上り伝送機会の共有を行うことができ、信号の伝送遅延を低減するのに有利である。または、前記端末デバイスは、前記第１の上り伝送機会のチャネルアクセスタイプが第２のチャネルアクセスタイプであり、チャネルアクセス優先度が予め設定された優先度しきい値より高い場合、前記第１の指示情報が、前記第１の下り伝送機会のチャネルアクセスタイプ、前記第１の上り伝送機会のチャネルアクセスタイプ、またはチャネルアクセス優先度情報を示すと決定する。
【００５８】
上記実施例では、第１の指示情報は端末デバイスが決定したものであり、端末デバイスは、上り伝送を行う前に、第１の指示情報を決定してもよく、さらに、端末デバイスの上り伝送機会とネットワークデバイスのその後の下り伝送機会との間の関連関係をネットワークデバイスに通知してもよく、これにより、ネットワークデバイスは、この関連関係に基づいて、上り伝送機会の共有が可能な場合に適切な上り伝送機会の共有を行い、信号の伝送遅延の低減に寄与し、この上り伝送機会の共有をランダムアクセス手順に適用する場合にランダムアクセスの遅延の低減に寄与し、ユーザ体験の向上に寄与することができる。
【００５９】
任意選択で、いくつかの実施例において、前記端末デバイスが第１の指示情報を決定することは、
前記端末デバイスが前記ネットワークデバイスにより送信された第２の指示情報を受信し、前記第２の指示情報が上り伝送のための上り伝送機会と下り伝送のための下り伝送機会との関連関係を示すことと、
前記第２の指示情報を前記第１の指示情報として決定することとを含む。
【００６０】
なお、この実施例において、該第１の指示情報は、端末デバイスがネットワークデバイスからの第２の指示情報に基づいて決定し、例えば、該第２の指示情報は、該端末デバイスがどのチャネルアクセスタイプを利用してチャネル検出を行って該第１の上り伝送機会を取得することを指示し、又は、該第２の指示情報は、該第１の上り伝送機会を第１の下り伝送機会に共用するかどうかを指示し、又は、該端末デバイスが上り伝送機会の共有を許可するかどうかを指示する。
【００６１】
任意選択で、いくつかの実施例において、該第２の指示情報は、該ネットワークデバイスにより物理下り制御チャネル（Ｐｈｙｓｉｃａｌ Ｄｏｗｎｌｉｎｋ Ｃｏｎｔｒｏｌ Ｃｈａｎｎｅｌ、ＰＤＣＣＨコマンド（ｏｒｄｅｒ）を介して送信し、該ＰＤＣＣＨ ｏｒｄｅｒは、端末デバイスが非競合に基づくランダムアクセス手順を開始するように制御するために使用される。
【００６２】
すなわち、本願の実施例において、該端末デバイスが開始する自律的な上り伝送は、競合に基づくランダムアクセスであってもよく、又はネットワークデバイスがトリガする非競合に基づくランダムアクセスであってもよく、上記ランダムアクセス手順において、端末デバイスは、第１の指示情報をネットワークデバイスに送信し、端末デバイスの上り伝送機会とネットワークデバイスのその後の下り伝送機会との間の関連関係をネットワークデバイスに通知してもよく、これにより、ネットワークデバイスは、この関連関係に基づいて適切な上り伝送機会の共有を行うことができ、ランダムアクセスの遅延を低減することができる。
【００６３】
本願の実施例に係る信号伝送方法は、端末デバイスから図２を参照して詳細に説明したが、ネットワークデバイスから図３を参照して詳細に説明する。ネットワークデバイス側の説明と端末デバイス側の説明は、互いに対応しており、同様の説明は、上記を参照してもよく、重複を避けるためにここで説明を省略する。
【００６４】
図３は本願の他の実施例における信号伝送方法３００のフローチャートであり、該方法３００は、図１に示す通信システムにおけるネットワークデバイスにより実行され、図３に示すように、該方法３００は、以下のステップを含み、
Ｓ３１０において、ネットワークデバイスが、端末デバイスにより送信された、上り伝送のための第１の上り伝送機会と下り伝送のための第１の下り伝送機会との関連関係を示す第１の指示情報を受信し、
Ｓ３２０において、前記ネットワークデバイスが前記第１の指示情報に基づいて、下り伝送のための第１の下り伝送機会を決定する。
【００６５】
任意選択で、いくつかの実施例において、前記関連関係は、前記第１の上り伝送機会の時間ユニットが前記第１の下り伝送機会の時間ユニットを含むかどうかを含む。
【００６６】
任意選択で、いくつかの実施例において、前記関連関係が前記第１の上り伝送機会と前記第１の下り伝送機会との関連情報を含み、ここで、前記関連情報は、前記第１の上り伝送機会のチャネルアクセスタイプ、前記第１の上り伝送機会の時間ユニットと前記第１の下り伝送機会の時間ユニットとの時間間隔情報、前記第１の下り伝送機会の時間ユニット、及び前記第１の下り伝送機会のチャネルアクセスタイプのうちの少なくとも１つを含む。
【００６７】
任意選択で、いくつかの実施例において、該関連情報が該第１の上り伝送機会の時間ユニット及び該時間間隔下りを含み、該ネットワークデバイスは、該第１の上り伝送機会の時間ユニット及び該時間間隔に基づいて、下り伝送の時間ユニットを決定することができる。例えば、該ネットワークデバイスは、該第１の上り伝送の開始時間ユニットの後の第１の時間間隔の時間ユニットを第１の下り伝送機会の開始時間ユニットとして決定する。
【００６８】
任意選択で、いくつかの実施例において、関連情報が第１の上り伝送機会が使用されるチャネルアクセスタイプを含む場合、すなわち、端末デバイスがどのチャネルアクセスタイプを用いてチャネル検出を行うかによって、第１の上り伝送機会を取得する。ネットワークデバイスは、第１の上り伝送機会のチャネルアクセスタイプに基づいて、ネットワークデバイスが下り伝送機会を取得するために使用するチャネルアクセスタイプを決定することができ、例えば、第１の上り伝送機会が第２のチャネルアクセスタイプに基づいて取得され、対応するチャネルアクセス優先度がより低い場合、ネットワークデバイスは、第１の下り伝送機会のチャネルアクセスタイプを第１のチャネルアクセスタイプとして決定することができ、又は、第１の上り伝送機会が第１のチャネルアクセスタイプを使用して取得される場合、ネットワークデバイスは、下り伝送機会のチャネルアクセスタイプを優先度がより低い第２のチャネルアクセスタイプとして決定することができる。
【００６９】
すなわち、優先度の低いＣＣＡを介して第１の上り伝送機会が取得される場合、上り伝送機会のＭＣＯＴが長くなり、この場合、該ネットワークデバイスは、この第１の上り伝送機会の時間ユニットを共有することができ、これにより、該ネットワークデバイスは、チャネル検出を行うことなく、直接下り伝送を行うことができ、又は、優先度の高いＣＣＡを行って下り伝送機会を取得することもでき、伝送遅延の低減に寄与する。
【００７０】
任意選択で、いくつかの実施例において、前記ネットワークデバイスが端末デバイスにより送信された第１の指示情報を受信することは、
前記ネットワークデバイスが端末デバイスにより送信されたランダムアクセスプリアンブルを受信することを含み、ここで、前記ランダムアクセスプリアンブルを送信するための時間領域リソース、周波数領域リソース及びコード領域リソースのうちの少なくとも１つが、前記第１の指示情報を示すために使用される。
【００７１】
任意選択で、いくつかの実施例において、前記ネットワークデバイスが端末デバイスにより送信された第１の指示情報を受信することは、
前記ネットワークデバイスが前記端末デバイスにより送信されたランダムアクセスのためのメッセージ３ ＭＳＧ ３を受信することを含み、前記ＭＳＧ３に前記第１の指示情報が搬送される。
【００７２】
任意選択で、いくつかの実施例において、前記方法は、さらに、
前記ネットワークデバイスが前記端末デバイスに第２の指示情報を送信することを含み、前記第２の指示情報が上り伝送のための上り伝送機会と下り伝送のための下り伝送機会との関連関係を示し、前記第２の指示情報は、前記端末デバイスが前記第１の指示情報を決定するために使用される。
【００７３】
任意選択で、いくつかの実施例において、前記ネットワークデバイスが前記端末デバイスに第２の指示情報を送信することは、
前記ネットワークデバイスが物理下り制御チャネルＰＤＣＣＨコマンドを介して前記端末デバイスに前記第２の指示情報を送信することを含む。
【００７４】
任意選択で、いくつかの実施例において、前記ＰＤＣＣＨコマンドは、前記端末デバイスが非競合に基づくランダムアクセス手順を開始するように制御するために使用される。
【００７５】
任意選択で、いくつかの実施例において、前記第１の下り伝送機会の時間ユニットと前記第１の上り伝送機会の時間ユニットとの時間間隔を第１の時間間隔とする。
【００７６】
任意選択で、いくつかの実施例において、前記第１の時間間隔は、前記第１の指示情報で示し、又は、予め定義された時間間隔である。
【００７７】
本願の方法の実施例が図２〜図３に関連して上記で詳細に説明され、本願の開示の装置の実施例が図４〜図８に関連して以下で詳細に説明されるが、装置の実施例と方法の実施例とは互いに対応し、同様の説明は方法の実施例を参照し得る。
【００７８】
図４は本願の実施例における端末デバイス４００のブロック図である。図４に示すように、該端末デバイス４００は、決定モジュール４１０と通信モジュール４２０を備え、
決定モジュール４１０は、第１の指示情報を決定するように構成され、前記第１の指示情報が上り伝送のための第１の上り伝送機会と下り伝送のための第１の下り伝送機会との関連関係を示し、
通信モジュール４２０は、前記第１の上り伝送機会に対応する時間ユニットにおいてネットワークデバイスに前記第１の指示情報を送信するように構成される。
【００７９】
任意選択で、いくつかの実施例において、前記関連関係は、前記第１の上り伝送機会の時間ユニットが前記第１の下り伝送機会の時間ユニットを含むかどうかを含む。
【００８０】
任意選択で、いくつかの実施例において、前記関連関係が前記第１の上り伝送機会と前記第１の下り伝送機会との関連情報を含み、ここで、前記関連情報は、前記第１の上り伝送機会のチャネルアクセスタイプ、前記第１の上り伝送機会の時間ユニットと前記第１の下り伝送機会の時間ユニットとの時間間隔情報、前記第１の下り伝送機会の時間ユニット、及び前記第１の下り伝送機会のチャネルアクセスタイプのうちの少なくとも１つを含む。
【００８１】
任意選択で、いくつかの実施例において、前記通信モジュール４２０は、具体的に、
前記ネットワークデバイスにランダムアクセスプリアンブルを送信するように構成され、ここで、前記ランダムアクセスプリアンブルを送信するための時間領域リソース、周波数領域リソース及びコード領域リソースのうちの少なくとも１つが、前記第１の指示情報を示すために使用される。
【００８２】
任意選択で、いくつかの実施例において、前記通信モジュール４２０は、さらに、
前記ネットワークデバイスにランダムアクセスのためのメッセージ３ ＭＳＧ ３を送信するように構成され、前記ＭＳＧ３に前記第１の指示情報が搬送される。
【００８３】
任意選択で、いくつかの実施例において、前記通信モジュール４２０は、さらに、前記ネットワークデバイスにより送信された第２の指示情報を受信するように構成され、前記第２の指示情報が上り伝送のための上り伝送機会と下り伝送のための下り伝送機会との関連関係を示し、
前記決定モジュール４１０は、さらに、前記第２の指示情報を前記第１の指示情報として決定するように構成される。
【００８４】
任意選択で、いくつかの実施例において、前記通信モジュール４２０は、さらに、
前記端末デバイスが、前記ネットワークデバイスにより物理下り制御チャネルＰＤＣＣＨコマンドで送信された前記第２の指示情報を受信するように構成される。
【００８５】
任意選択で、いくつかの実施例において、前記ＰＤＣＣＨコマンドは、前記端末デバイスが非競合に基づくランダムアクセス手順を開始するように制御するために使用される。
【００８６】
任意選択で、いくつかの実施例において、前記第１の下り伝送機会の時間ユニットと前記第１の上り伝送機会の時間ユニットとの時間間隔を第１の時間間隔とする。
【００８７】
任意選択で、いくつかの実施例において、前記第１の時間間隔は、前記第１の指示情報で示し、又は、予め定義された時間間隔である。
【００８８】
具体的には、該端末デバイス４００は、上記方法２００で説明した端末デバイスに対応(例えば、構成又はそれ自体で)することができ、且つ、該端末デバイス４００における各モジュール又はユニットは、それぞれ、上記方法２００で端末デバイスが実行する各動作又は処理手順を実行するために使用されるが、ここでは、簡潔のため、その詳細な説明は省略する。
【００８９】
図５は本願の実施例におけるネットワークデバイスのブロック図である。図５のネットワークデバイス５００は、通信モジュール５１０及び決定モジュール５２０を備え、
通信モジュール５１０は、端末デバイスにより送信された第１の指示情報を受信するように構成され、前記第１の指示情報が上り伝送のための第１の上り伝送機会と下り伝送のための第１の下り伝送機会との関連関係を示し、
決定モジュール５２０は、前記第１の指示情報に基づいて、下り伝送のための第１の下り伝送機会を決定するように構成される。
【００９０】
任意選択で、いくつかの実施例において、前記関連関係は、前記第１の上り伝送機会の時間ユニットが前記第１の下り伝送機会の時間ユニットを含むかどうかを含む。
【００９１】
任意選択で、いくつかの実施例において、前記関連関係が前記第１の上り伝送機会と前記第１の下り伝送機会との関連情報を含み、ここで、前記関連情報は、前記第１の上り伝送機会のチャネルアクセスタイプ、前記第１の上り伝送機会の時間ユニットと前記第１の下り伝送機会の時間ユニットとの時間間隔情報、前記第１の下り伝送機会の時間ユニット、及び前記第１の下り伝送機会のチャネルアクセスタイプのうちの少なくとも１つを含む。
【００９２】
任意選択で、いくつかの実施例において、前記通信モジュール５１０は、具体的に、端末デバイスにより送信されたランダムアクセスプリアンブルを受信するように構成され、ここで、前記ランダムアクセスプリアンブルを送信するための時間領域リソース、周波数領域リソース及びコード領域リソースのうちの少なくとも１つが、前記第１の指示情報を示すために使用される。
【００９３】
任意選択で、いくつかの実施例において、前記通信モジュール５１０は、具体的に、前記端末デバイスにより送信されたランダムアクセスのためのメッセージ３ ＭＳＧ ３を受信するように構成され、前記ＭＳＧ３に前記第１の指示情報が搬送される。
【００９４】
任意選択で、いくつかの実施例において、前記通信モジュール５１０は、さらに、前記端末デバイスに第２の指示情報を送信するように構成され、前記第２の指示情報が上り伝送のための上り伝送機会と下り伝送のための下り伝送機会との関連関係を示し、前記第２の指示情報は、前記端末デバイスが前記第１の指示情報を決定するために使用される。
【００９５】
任意選択で、いくつかの実施例において、前記通信モジュール５１０は、さらに、
物理下り制御チャネルＰＤＣＣＨコマンドを介して前記端末デバイスに前記第２の指示情報を送信するように構成される。
【００９６】
任意選択で、いくつかの実施例において、前記ＰＤＣＣＨコマンドは、前記端末デバイスが非競合に基づくランダムアクセス手順を開始するように制御するために使用される。
【００９７】
任意選択で、いくつかの実施例において、前記第１の下り伝送機会の時間ユニットと前記第１の上り伝送機会の時間ユニットとの時間間隔を第１の時間間隔とする。
【００９８】
任意選択で、いくつかの実施例において、前記第１の時間間隔は、前記第１の指示情報で示し、又は、予め定義された時間間隔である。
【００９９】
具体的には、該ネットワークデバイス５００は、上記方法３００で説明されたネットワークデバイスに対応(例えば、構成又はそれ自体であってもよい)することができ、且つ、該ネットワークデバイス５００における各モジュール又はユニットは、それぞれ、上記方法３００でネットワークデバイスにより実行される各動作又は処理手順を実行するために使用されるが、ここでは、詳しい説明を省略する。
【０１００】
図６は、本願の実施例に係る通信デバイス６００の構成図である。図６に示す通信デバイス６００は、メモリからコンピュータプログラムを呼び出して実行することにより、本願の実施例における方法を実現するプロセッサ６１０を有する。
【０１０１】
任意選択で、図６に示されるように、通信デバイス６００は、メモリ６２０をさらに含み得る。プロセッサ６１０は、メモリ６２０からコンピュータプログラムを呼び出して実行することにより、本願の実施例における方法を実施する。
【０１０２】
ここで、メモリ６２０は、プロセッサ６１０とは独立した１つの別個の部品であってもよく、プロセッサ６１０に集積されてもよい。
【０１０３】
任意選択で、図６に示すように、通信デバイス６００は、プロセッサ６１０が他のデバイスと通信するように制御することができる、具体的には、他のデバイスに情報又はデータを送信するか、又は他のデバイスによって送信された情報又はデータを受信することができる、送受信機６３０を更に含むことができる。
【０１０４】
送受信機６３０は、送信機および受信機を含み得る。送受信機６３０は、１つ以上の数のアンテナをさらに含むことができる。
【０１０５】
任意選択で、通信デバイス６００は、具体的に、本願の実施例のネットワークデバイスであってもよく、本願の実施例の様々な方法においてネットワークデバイスにより実施される対応するフローを実施してもよく、簡潔のために、ここでは詳しい説明を省略する。
【０１０６】
任意選択で、通信デバイス６００は、具体的に、本願の実施例の移動端末／端末デバイスであってもよく、本願の実施例の様々な方法において端末デバイスにより実施される対応するフローを実施してもよく、簡潔のために、ここでは詳しい説明を省略する。
【０１０７】
図７は、本願の実施例におけるチップの概略構成図である。図７に示されるチップ７００は、メモリからコンピュータプログラムを呼び出して実行することにより、本願の実施例における方法を実行することができるプロセッサ７１０を含む。
【０１０８】
任意選択で、図７に示されるように、チップ７００は、メモリ７２０をさらに含むことができる。プロセッサ７１０は、メモリ７２０からコンピュータプログラムを呼び出して実行することにより、本願の実施例における方法を実現することができる。
【０１０９】
ここで、メモリ７２０は、プロセッサ７１０とは独立した別個の部品であってもよく、プロセッサ７１０に集積されていてもよい。
【０１１０】
任意選択で、このチップ７００は、入力インターフェース７３０をさらに含むことができる。プロセッサ７１０は、入力インターフェース７３０を制御して他のデバイスまたはチップと通信してもよく、具体的には、他のデバイスまたはチップによって送信された情報またはデータを取得してもよい。
【０１１１】
任意選択で、このチップ７００は、出力インターフェース７４０をさらに含み得る。プロセッサ７１０は、出力インターフェース７４０を制御して、他のデバイス又はチップと通信してもよく、具体的には、他のデバイス又はチップに情報又はデータを出力してもよい。
【０１１２】
任意選択で、チップは、本願の実施例におけるネットワークデバイスに適用されてもよく、チップは、本願の実施例の様々な方法においてネットワークデバイスによって実施される対応するフローを実施してもよく、簡潔にするためにここでは詳しい説明を省略する。
【０１１３】
任意選択で、チップは、本願の実施例における移動端末／端末デバイスに適用されてもよく、チップは、本願の実施例の様々な方法において移動端末／端末デバイスによって実施される対応するフローを実施してもよく、簡潔にするためにここでは詳しい説明を省略する。
【０１１４】
なお、本願の実施例で言及されるチップは、システムレベルチップ、システムチップ、チップシステム、またはシステムオンチップなどと呼ばれることもある
図８は、本願の実施例における通信システム９００のブロック図である。図８に示すように、通信システム９００は、端末デバイス９１０と、ネットワークデバイス９２０とを有する。
【０１１５】
ここで、該端末デバイス９１０は、上記方法のうち端末デバイスによって実現される対応する機能を実現するために使用され、該ネットワークデバイス９２０は、上記方法のうちネットワークデバイスによって実現される対応する機能を実現するために使用され、簡潔にするために、ここでは詳しい説明を省略する。
【０１１６】
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１１７】
本願の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ( Ｓｙｎｃｈｌｉｎｋ ＤＲＡＭ、ＳＬＤＲＡＭ )、及びダイレクトメモリバスランダムアクセスメモリ( Ｄｉｒｅｃｔ Ｒａｍｂｕｓ ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されない。
【０１１８】
なお、上述のメモリは、限定ではなく例示的であるが、例えば、本願の実施例におけるメモリは、スタティックランダムアクセスメモリ( ｓｔａｔｉｃ ＲＡＭ、ＳＲＡＭ )、ダイナミックランダムアクセスメモリ( ｄｙｎａｍｉｃ ＲＡＭ、ＤＲＡＭ )、同期ダイナミックランダムアクセスメモリ( ｓｙｎｃｈｒｏｎｏｕｓ ＤＲＡＭ、ＳＤＲＡＭ )、デュアルデータレート同期ダイナミックランダムアクセスメモリ( ｄｏｕｂｌｅ ｄａｔａ ｒａｔｅ ＳＤＲＡＭ、ＤＤＲ ＳＤＲＡＭ )、拡張同期ダイナミックランダムアクセスメモリ( ｅｎｈａｎｃｅｄ ＳＤＲＡＭ、ＥＳＤＲＡＭ )、同期接続ダイナミックランダムアクセスメモリ( ｓｙｎｃｈ ｌｉｎｋ ＤＲＡＭ、ＳＬＤＲＡＭ )、及びダイレクトメモリバスランダムアクセスメモリ( Ｄｉｒｅｃｔ Ｒａｍｂｕｓ ＲＡＭ、ＤＲ ＲＡＭ )等であってもよいことが理解されるべきである。すなわち、本願の実施例におけるメモリは、これら及び任意の他の適切なタイプのメモリを含むことを意図しているが、これらに限定されない。
【０１１９】
本願の実施例は、コンピュータプログラムを記憶するためのコンピュータ可読記憶媒体をさらに提供する。
【０１２０】
任意選択で、コンピュータ可読記憶媒体は、本願の実施例におけるネットワークデバイスに適用されてもよく、コンピュータプログラムは、コンピュータに、本願の実施例の各方法においてネットワークデバイスによって実施される対応するフローを実行させ、簡潔にするために、ここでは詳しい説明を省略する。
【０１２１】
任意選択で、コンピュータ可読記憶媒体は、本願の実施例における移動端末/端末デバイスに適用されてもよく、コンピュータプログラムは、コンピュータに、本願の実施例の各方法における移動端末/端末デバイスによって実現される対応するフローを実行させるが、簡潔にするために、ここでは詳しい説明は省略する。
【０１２２】
本願の実施例は、コンピュータプログラム命令を含むコンピュータプログラム製品も提供する。
【０１２３】
任意選択で、コンピュータプログラム製品は、本願の実施例におけるネットワークデバイスに適用されてもよく、コンピュータプログラム命令は、コンピュータに、本願の実施例の各方法においてネットワークデバイスによって実施される対応するフローを実行させ、簡潔にするために、ここでは詳しい説明を省略する。
【０１２４】
任意選択で、コンピュータプログラム製品は、本願の実施例における移動端末/端末デバイスに適用されてもよく、コンピュータプログラム命令は、コンピュータに、本願の実施例の各方法における移動端末/端末デバイスによって実施される対応するフローを実行させ、簡潔にするために、ここでは詳しい説明を省略する。
【０１２５】
本願の実施例は、コンピュータプログラムをさらに提供する。
【０１２６】
任意選択的に、コンピュータプログラムは、本願の実施例におけるネットワークデバイスに適用されてもよく、コンピュータプログラムがコンピュータ上で実行される場合、コンピュータに、本願の実施例の各方法においてネットワークデバイスによって実現される対応するフローを実行させ、簡潔にするために、ここでは詳しい説明を省略する。
【０１２７】
任意選択的に、コンピュータプログラムは、本願の実施例に係る移動端末／端末デバイスに適用されてもよく、コンピュータプログラムがコンピュータ上で実行される場合、コンピュータに、本願の実施例に係る各方法のうち移動端末／端末デバイスで実現される対応するフローを実行させてもよく、簡潔にするために、ここでは詳しい説明を省略する。
【０１２８】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本願の範囲から逸脱するものと考えられるべきではない。
【０１２９】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１３０】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよく、別のシステムに統合されてもよく、又はいくつかの特徴が省略されてもよく、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１３１】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１３２】
また、本願の各実施態様における各機能部は、１つの処理部に集積されてもよく、各部は、物理的に別個に存在してもよく、２つ以上の部が１つの部に集積されてもよい。
【０１３３】
また、ソフトウェア的な機能単位で実現され、独立した製品として販売又は使用される場合には、コンピュータ読み取り可能な記録媒体に格納されてもよい。このような理解に基づいて、本願の技術的解決策の本質または従来技術に寄与する部分、または本願の技術的解決策の部分は、１つのコンピュータデバイス(パーソナルコンピュータ、サーバ、またはネットワークデバイスなどであり得る)に本願の様々な実施例に記載された方法のステップの全てまたは一部を実行させるための複数の命令を含む１つの記憶媒体に記憶されたソフトウェア製品の形態で具現化され得る。なお、前記記憶媒体としては、Ｕ−ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１３４】
以上、本願の具体的な実施例を説明したが、本願の技術的範囲はこれに限定されるものではなく、本願が属する技術分野で通常の知識を有する者であれば、本願の技術的範囲内で容易に変更や置換をなし得ることは勿論である。したがって、本願の保護範囲は、特許請求の範囲によって定義されるべきである。
【図１】
2022501865.tif 000010
【図２】
2022501865.tif 000011
【図３】
2022501865.tif 000012
【図４】
2022501865.tif 000013
【図５】
2022501865.tif 000014
【図６】
2022501865.tif 000015
【図７】
2022501865.tif 000016
【図８】
2022501865.tif 000017
【手続補正書】
【提出日】令和3年7月20日(2021.7.20)
【手続補正１】
【補正対象書類名】特許請求の範囲
【補正対象項目名】全文
【補正方法】変更
【補正の内容】
【特許請求の範囲】
【請求項１】
端末デバイスが上り伝送のための第１の上り伝送機会と下り伝送のための第１の下り伝送機会との関連関係を示す第１の指示情報を決定することと、
前記端末デバイスが前記第１の上り伝送機会に対応する時間ユニットにおいてネットワークデバイスに前記第１の指示情報を送信することとを含む
ことを特徴とする信号伝送方法。
【請求項２】
前記関連関係が前記第１の上り伝送機会と前記第１の下り伝送機会との関連情報を含み、前記関連情報は、前記第１の上り伝送機会のチャネルアクセスタイプ、前記第１の上り伝送機会の時間ユニットと前記第１の下り伝送機会の時間ユニットとの時間間隔情報、前記第１の下り伝送機会の時間ユニット、及び前記第１の下り伝送機会のチャネルアクセスタイプのうちの少なくとも１つを含む
ことを特徴とする請求項１に記載の信号伝送方法。
【請求項３】
前記第１の下り伝送機会の時間ユニットと前記第１の上り伝送機会の時間ユニットとの時間間隔を第１の時間間隔とする
ことを特徴とする請求項１又は２に記載の信号伝送方法。
【請求項４】
前記第１の時間間隔は、前記第１の指示情報で示し、又は、予め定義された時間間隔である
ことを特徴とする請求項３に記載の信号伝送方法。
【請求項５】
ネットワークデバイスが、端末デバイスにより送信された、上り伝送のための第１の上り伝送機会と下り伝送のための第１の下り伝送機会との関連関係を示す第１の指示情報を受信することと、
前記ネットワークデバイスが前記第１の指示情報に基づいて、下り伝送のための第１の下り伝送機会を決定することとを含む
ことを特徴とする信号伝送方法。
【請求項６】
前記関連関係が前記第１の上り伝送機会と前記第１の下り伝送機会との関連情報を含み、前記関連情報は、前記第１の上り伝送機会のチャネルアクセスタイプ、前記第１の上り伝送機会の時間ユニットと前記第１の下り伝送機会の時間ユニットとの時間間隔情報、前記第１の下り伝送機会の時間ユニット、及び前記第１の下り伝送機会のチャネルアクセスタイプのうちの少なくとも１つを含む
ことを特徴とする請求項５に記載の信号伝送方法。
【請求項７】
前記第１の下り伝送機会の時間ユニットと前記第１の上り伝送機会の時間ユニットとの時間間隔を第１の時間間隔とする
ことを特徴とする請求項５又は６に記載の信号伝送方法。
【請求項８】
前記第１の時間間隔は、前記第１の指示情報で示し、又は、予め定義された時間間隔である
ことを特徴とする請求項７に記載の信号伝送方法。
【請求項９】
決定モジュールと、通信モジュールとを備える端末デバイスであって、
前記決定モジュールは、第１の指示情報を決定するように構成され、前記第１の指示情報が上り伝送のための第１の上り伝送機会と下り伝送のための第１の下り伝送機会との関連関係を示し、
前記通信モジュールは、前記第１の上り伝送機会に対応する時間ユニットにおいてネットワークデバイスに前記第１の指示情報を送信するように構成される
ことを特徴とする端末デバイス。
【請求項１０】
前記関連関係が前記第１の上り伝送機会と前記第１の下り伝送機会との関連情報を含み、前記関連情報は、前記第１の上り伝送機会のチャネルアクセスタイプ、前記第１の上り伝送機会の時間ユニットと前記第１の下り伝送機会の時間ユニットとの時間間隔情報、前記第１の下り伝送機会の時間ユニット、及び前記第１の下り伝送機会のチャネルアクセスタイプのうちの少なくとも１つを含む
ことを特徴とする請求項９に記載の端末デバイス。
【請求項１１】
前記第１の下り伝送機会の時間ユニットと前記第１の上り伝送機会の時間ユニットとの時間間隔を第１の時間間隔とする
ことを特徴とする請求項９又は１０に記載の端末デバイス。
【請求項１２】
前記第１の時間間隔は、前記第１の指示情報で示し、又は、予め定義された時間間隔である
ことを特徴とする請求項１１に記載の端末デバイス。
【請求項１３】
通信モジュールと、決定モジュールとを備えるネットワークデバイスであって、
前記通信モジュールは、端末デバイスにより送信された第１の指示情報を受信するように構成され、前記第１の指示情報が上り伝送のための第１の上り伝送機会と下り伝送のための第１の下り伝送機会との関連関係を示し、
前記決定モジュールは、前記第１の指示情報に基づいて、下り伝送のための第１の下り伝送機会を決定するように構成される
ことを特徴とするネットワークデバイス。
【請求項１４】
前記関連関係が前記第１の上り伝送機会と前記第１の下り伝送機会との関連情報を含み、前記関連情報は、前記第１の上り伝送機会のチャネルアクセスタイプ、前記第１の上り伝送機会の時間ユニットと前記第１の下り伝送機会の時間ユニットとの時間間隔情報、前記第１の下り伝送機会の時間ユニット、及び前記第１の下り伝送機会のチャネルアクセスタイプのうちの少なくとも１つを含む
ことを特徴とする請求項１３に記載のネットワークデバイス。
【請求項１５】
前記第１の下り伝送機会の時間ユニットと前記第１の上り伝送機会の時間ユニットとの時間間隔を第１の時間間隔とする
ことを特徴とする請求項１３又は１４に記載のネットワークデバイス。
【請求項１６】
前記第１の時間間隔は、前記第１の指示情報で示し、又は、予め定義された時間間隔である
ことを特徴とする請求項１５に記載のネットワークデバイス。
【国際調査報告】
2022501865.tif 000018
2022501865.tif 000019
2022501865.tif 000020
2022501865.tif 000021